(57)【要約】  輸液装置が、ポンプ構造、そのための駆動モータ、及びモータに駆動シグナルを供給するコントローラに磁性素材を含んでいないために、磁場を乱すこと及び好ましくない高周波干渉を発することなく強磁場で便利な動作を円滑にする。ＭＲＩ非適合輸液装置は、取り付けられた静脈輸液セットから患者を外すことなく、一時的にＭＲＩ適合非磁性輸液装置に付け替えられることによって、ＭＲＩ環境内でも輸液を継続できる。
2008522643.tif 000002
【特許請求の範囲】
【請求項１】
液体源と患者との間にある第一の静脈（ＩＶ）注入セットを介して連結される第一の輸液ポンプを、患者の第一のＩＶセットへの接続を維持したままで、第二のポンプと一時的に付け替える方法であって、
患者を第一のＩＶセットに繋ぐ段階と、
第一のＩＶセット及び第一のポンプを介して患者へと輸液する段階と、
第一のポンプを通る液体の流れを遮断する段階と、
第一のポンプの上流及び下流の部位で第二のＩＶセットを第一のＩＶセットに繋ぐ段階と、
第一のＩＶセットへのその接続部と、第二のポンプと、第二のＩＶセットとを介して患者へと輸液する段階と
を有する方法。
【請求項２】
第一のポンプを介する患者への輸液を再構築する為に、
第一のＩＶセットへの第二のＩＶセットの流体接続を取り外し、第二のポンプを作動しないようにする段階と、
第一のＩＶセット及び第一のポンプを作動させて、第一のＩＶセット及び第一のポンプを介して患者へと輸液する段階と
をさらに有する請求項１に記載の方法。
【請求項３】
第二のポンプがＭＲＩ適合性であり、ＭＲＩ環境内で患者に輸液するためにＭＲＩ環境内に設置されている請求項１の方法。
【請求項４】
第二のＩＶセット及び第二のポンプが第一のＩＶセットへと接続された後に、第一のポンプが第一のＩＶセットから外される請求項１に記載の方法。
【請求項５】
第二のポンプを介する輸液が、液体源からの輸液に利用できる液体に応じて制御される請求項１に記載の方法。
【請求項６】
第二のＩＶセットと第一のＩＶセットとの間の流体接続の除去によって、液体が第一のＩＶセットを通って流れるようになる請求項２に記載の方法。
【発明の詳細な説明】
【技術分野】
【０００１】
発明分野
本発明は輸液装置に関連し、特に、核磁気共鳴画像法（ＭＲＩ）システム内での診断中に使用するための前記装置に関する。ＭＲＩ環境における外部からの高周波（ＲＦ）シグナル及び磁性物質は、画像処理に対して有害な干渉を引き起こし、輸液装置の機能を乱し、患者に危険を及ぼす。
【背景技術】
【０００２】
発明の背景
患者への液体の静脈内（ＩＶ）投与は慎重に制御することが望まれる。一般に利用できるＩＶ投与セットによる従来式のＩＶ溶液の重力輸送は、一般に多くの種類の流体及び薬剤の輸送に対し満足できるほど正確ではない。様々な容積移送式ポンプ装置が、前記ＩＶ投与を慎重に制御するために開発されてきた。ある種のＩＶポンプは、従来式のＩＶ輸液セットのチューブに直接作用する（線形又は回転型の）蠕動式ポンプの仕組みによって標準的なＩＶ投与セット内の流れを制御する。他のタイプは、独自の容積測定カセットを内蔵し、更に他のタイプはシリンジに似た装置を利用するであろう。しかしながら現時点においては、ＭＲＩ室の中で、完全に安全な運用ができるＩＶのコントローラは存在せず、ＭＲＩ室内では、薬液の制御された輸送に対してかなりの需要がある。度々、ＭＲＩ検査を受ける予定の患者が、ＩＶの溶液が投与されており、装置によって制御されている状態でＭＲＩ室に到着するが、その装置は、高磁場が存在し、外部ＲＦの干渉が容認できない部屋に患者が移動する時には、外さなければならない。
【０００３】
輸液ポンプの基本性能は、生体の静脈システム内に時間をかけて薬性又は栄養性の液体を運ぶことを含む。輸送速度及び圧力に関する特定の物理的制限が、ＩＶの輸液制御において不可欠な要素である。ＩＶの流体は、一般に０．２から１０ＰＳＩ（１３８０から６８９５０Ｐａ）の範囲の圧力で押出される。輸液装置は、過剰圧力の検出及び約２０ＰＳＩ（１３７９００Ｐａ）を超えない稼動制限を含むべきである。ＩＶポンプの一般的な流量範囲は、０．１から２０００ml/hrである。従来式のＩＶ輸液装置の前記特性は、画像を鮮明にする造影剤の非常に早いボーラス注入のために、ＭＲＩを含む放射線環境においてしばしば用いられる注入装置の特性とは完全に異なっている。前記装置は、３００ＰＳＩ（２０６８５００Ｐａ）に至る圧力及び、ＩＶ薬剤輸送システムと比べて非常に短い時間で造影剤を‘押出す’。造影剤は、もっぱら画像を鮮明にするためであり、患者にとって薬理効果を有さない。
【０００４】
ＭＲＩシステム周囲の高磁場は、（従来式のＩＶコントローラを含む）様々な装置、特に磁性素材によって構成されている装置の作動に悪影響を与え、磁性素材を利用する装置を用いる結果、患者の安全に対して深刻な危険をもたらすであろう。装置の磁性素材は、患者又は付き添いの職員が位置するＭＲＩシステムの磁場に高速で引き付けられるであろう。
【０００５】
患者へ輸液するための従来式の装置は、一般に小さな持ち運び可能なユニットであり、それはしばしば輸液装置と注入される付随液（associated liquid）との両方を保持するＩＶの支柱に取り付けられる。前記装置のいくつかは、ポンプユニットを駆動するのに必要な機械力を提供するために磁性素材を含むステッピングモータ又は単純ＤＣモータのいずれかを利用する。更に、何種かの電子制御ユニットは、規定の輸液速度設定の手動入力を受けて、長時間に渡って希望される量の液体を送り出すためにポンプユニットを制御する。前記制御ユニットは、貧弱な電気的設計又は不十分な遮蔽のために偽の高周波シグナルを発するであろう。
【０００６】
体内の構造を画像化するＭＲＩ手法の出現によって、ＭＲＩ環境内で用いることを目的とする医療機器の設計においては、非常に特殊な要求が満たされなければならない。ＭＲＩシステムは、核磁気共鳴（ＮＭＲ）の物理的現象を利用しており、それは、関係する磁場内の原子核のＲＦ刺激が、非常に刺激された核から小さなＲＦの「スピンエコー」の放出をもたらすことによる。患者の画像化の場合、水に結合した水素の核が、選択された周波数での磁気共鳴の通常の標的である。他の分子及び化合物も、特定の共鳴磁場強度及び関連する高周波を選択することによって、核磁気分光法（Nuclear Magnetic Spectroscopy）における解析のために選択することも可能である。平易にするために、一般的な水素原子を基にしたＭＲＩ画像取得処理についてこれ以降述べられる。しかし、発明の対象は、複数の磁場強度及び周波数でのＭＲＩの分光学的分析において等しく有効であることが理解されるべきである。
【０００７】
一般のＭＲＩシステムは、図１に示されるような様々な構成要素を含む。例えば、オペレータのコンソール２５、２７と、様々な処理装置３７と、ディスプレイ２９、３１と、高周波及び磁性勾配増幅装置３３、３５は、全てＭＲＩスキャン室の環境外に配置されている。それらは、磁場の乱れを引き起こし、安全上の問題となりうる画像を乱す高周波の干渉及び金属構造物の磁場への影響を排除するように設計されなければならない。ＭＲＩスキャンユニットは大きな磁場及び高周波領域を作り出し、非常に小さいＲＦ核「エコー」を受信できなければならない。それ故に、ＭＲＩスキャンユニットは遮蔽された部屋１１内に一般に配置される。前記部屋はまた、外部のＲＦノイズを非常に弱め、スキャナの磁場に対するいくらかの封じこめをもたらすであろう。
【０００８】
しかしながらある種の装置は、画像化されている患者の看護を補助する、又は所属職員の使用のためにスキャンルームに配置される必要がある。特に関心のあることは、患者が存在し、磁場が“生じており（up）”、小さな核の「エコー」のＲＦ受信が鮮明に得られなければならない時に、それらの装置は、画像を取得する間スキャンルームに配置されなければならない。酸素ボンベ又は「緊急用カート」を例とする電気的に受動性の金属器具は、スキャナの磁場に強く引き付けられるそれらの可能性のために、患者に安全上の問題をもたらす。前記器具は患者が位置している画像の範囲（volume）に“引きこまれる”ことで、深刻な傷害又は死の可能性を生じるであろう。その上、多大な努力がスキャナ／磁石の製造及び設置中になされることによって、画像の範囲内の磁束線（line of flux）が非常に均一であることを保証し、それによって得られる画像が最小限の空間の歪みのみを有することを保証する。こうして、スキャナの磁場内に配置されている磁性素材から作られた装置は、この均一な磁場及び得られる画像に歪みをもたらすであろう。磁性素材による危険のレベル及び磁場／画像の歪みの程度は、画像範囲に関する構成及び配置に依存する。
【０００９】
「飛んでいる」物による危険は、アルミの酸素ボンベを例とする鉄ではない装置の使用によってある程度制御可能である。その上、ある装置の重量又はスキャンルームでのそれらのしっかりした固定は、画像範囲に向けての前記装置の鉄の部分に対する磁力の引力に打ち勝つのに十分であろう。しかしながら、いくらかの鉄の部分を有する前記装置は、磁場に引き込まれるのは阻止するものの、それでもやはり磁場に不均一性をもたらすであろう。画像範囲内における磁場の均一性の歪みは、オペレータが結果の画像又はデータを読み取ることができる程度の最小限の結果に留められなければならない。また、磁場の歪みの可能性は、磁性素材を有する装置が画像範囲の近くに位置することによって、比例的に増大し、最も影響の大きい場所は、ほぼ患者の位置している場所である画像範囲の中心近くである。更に、標的画像の核によって生じる非常に低レベルのＲＦシグナルのせいで、作動している電子回路を有する装置が電気ノイズの形で偽のＲＦシグナルを放出しないことを保証するために、細心の注意が払わなければならない。そのようなノイズは、ＭＲＩのセンサコイル及び受信機によって受信されたシグナルのシグナルとノイズの比率を非常に悪化させることで、画像解像度を低下させるか、完全に読み取れなくするであろう。作動している回路は、それらのＲＦ発信が画像処理の特定の周波数では非常に低いことを保証するために入念に遮蔽されなければならない。逆に、注意深い設計によって、ＭＲＩ環境内にシグナル発信、治療などのためのＲＦエネルギー源を配置することが可能であるが、そのようなシグナルは、ＭＲＩスキャナに与えられた特定の磁場強度に特有の個々のラマー（Lamar）周波数を避けて選ばなければならず、いかなる有害な効果ももたらさずにMRIと共存するためには、高スペクトル純度を有さなければならない。ＭＲＩスキャナによって生じる強磁場は、ＭＲＩスキャンルーム内で必要な装置の一般的なＤＣ及びステッピングモータの動作に悪影響を及ぼし、その影響は、それらの制御を困難にするか、それらを完全に故障させる程であろう。
【００１０】
例えば、画像を鮮明にする造影剤の注入装置は、一般に実際の画像取得の間に前記造影剤を注入する必要があり、そのような装置は磁性素材を含むモータを含む。従って前記装置は、適切な作動及び安全のために、十分に離して配置される事によってＭＲＩスキャナの磁石との相互効果を低減しなければならない。それ故に、偽のＲＦシグナルを生じるコントローラ、電子機器のコンソール及びディスプレイは、ＭＲＩスキャンルームの外に配置されることによって、ＲＦスキャナの高感度RF受信機に対する干渉を避ける。
【００１１】
従って、ＭＲＩ環境における画像取得の間に、患者に日常的に供給されている様々な輸液及び薬剤の比較的長時間の制御及び供給のための、内蔵型のＭＲＩ適合輸液ポンプの提供が望まれる。前記装置は、ＭＲＩスキャンルーム内から画像取得作業に悪影響を及ぼすであろういかなる重大なＲＦ放出も発してはならない。また、磁場のひずみを引き起こすか、これらの磁場の影響を受けることのいずれかによって、前記装置の信頼性のある作動を非常に危うくするその場の磁場と相互作用してはならない。
【００１２】
費用、安全性、利便性及び性能を含む様々な理由によって、患者がＭＲＩにいる間の短時間のみＭＲＩ適合ポンプを使用することが望まれるであろう。この場合、患者はＭＲＩに先立って、ＭＲＩ非適合ポンプから外されてＭＲＩで安全なポンプに接続されなければならず、そして後で元に戻さなければならない。患者のＩＶセットを繋ぎ替えることは、滅菌に対する懸念事項による健康上の危険性と、医療職員の時間に対する費用とを含む。更に流体は、ＩＶの切り替え処理の間に規定の量から減少するであろう。
【００１３】
従って、患者を元のＩＶセットから外さずに、短期間の間、前に接続されているＭＲＩ非適合ポンプをＭＲＩ適合ポンプに繋ぎ替える方法を提供することも望まれる。ＭＲＩ適合ポンプは、元のポンプが外された後に元のポンプの代わりに接続されるであろう。ＭＲＩが完了した後に、ＭＲＩ適合ポンプは外され、元のポンプが同様に再接続されるであろう。患者に取付けられた同一のＩＶセットに対してポンプを簡単に交換することによって、ポンプ交換の時間及び費用を最小限にでき、患者へのＩＶ取付装置の滅菌性の危険性が最小化される。
【発明の開示】
【００１４】
発明の概要
本発明の説明された実施形態においては、ＭＲＩスキャンルーム内で使用するための安全で効果的な輸液装置が、ＲＦ発信の減少と同様に磁性素材の減少と、正確なポンプの制御とを実現する。ある実施形態においては、輸液装置が超音波モータを有し、超音波モータは、磁性素材を排除し、いかなる有害な磁場も生じず、外部の磁場による影響を受けない。超音波モータは、蠕動の又は他の適した流体ポンプ機構を駆動し、ＭＲＩの受信機が最も高感度である約６Ｍｈｚから１３０Ｍｈｚのスペクトル範囲内にＲＦの調和ノイズをほとんど生じないように特別に設計された多面性電気シグナルによって駆動される。
【００１５】
制御用電子機器は、規定の流体用量（fluid dose）が輸送されるように設定するために入力キーパッドから指令を受信し、前記入力はシグナルに変換されることでモータ及びポンプ機構を制御する。様々な安全装置が、電子機器を制御するために作動情報をフィードバックし、それは、ポンプ機構のモータの速度及び動き、流路内の気泡、滴下速度、高圧、流体の減少、流れの低下／停止、及び時間超過などの検出を含む。本輸液装置は、持ち運び用のバッテリー電源を有しており、画像を劣化するＲＦ干渉をもたらすことなく又は均一な磁場にゆがみを生じることなく、及びＭＲＩシステムによって生じる強磁場又は高レベルのＲＦエネルギーによって影響を受けることなく、ＭＲＩスキャンルーム内のあらゆる場所に都合よく配置するためにＲＦ遮蔽されたハウジングに内蔵される。装置のそのような制限されない配置は、ＭＲＩの所属職員及び画像化している患者の安全及び利便のために非常に重要である。
【００１６】
更なる実施形態において、先に接続された第一のＩＶ輸液セットへの患者の接続を維持しながら、先に接続されているＭＲＩ非適合ポンプ装置をＭＲＩ適合ポンプ装置に繋ぎ替えるために一つの方法が用いられる。通常患者は第一のＩＶセットに繋がれており、それは第一のＭＲＩ非適合ポンプへと配置される。ＭＲＩ室に到着すると、その後で、第二のＭＲＩ適合ポンプが第二のＩＶセットに取付けられることによって、活発に送り出されるＩＶの流体輸送が継続される。第二のポンプを用いるために、第一のポンプが患者に付けられたＩＶセットから外され、こうして、大半のＩＶセットにおいて標準的である（流れを止める）流れ防止器を作動させる。（第二のポンプの「上流にある」）第二のＩＶセットの流体受容端は、ＩＶ流体容器近くの第一のセットの上流の端に接続され、それは、例えば第二のセット上の中空の針で第一のセット上の接続箇所に穴を開けることによって、又は針無しの側部コネクタを介してなされる。空気は上流の容器から流体を流すことによって押し出され、（第二のポンプの「下流にある」）第二のＩＶセットの送出端は、第一のセットの下流の端に接続される。そして、流体の送り出しは、ＭＲＩ適合ポンプによって再開され、その後に患者及びＭＲＩ適合ポンプはＭＲＩスキャナ近くに動かされるであろう。ＭＲＩ検査後に、用いられた第二のセットは簡単に外されて捨てられ、元のＭＲＩ非適合ポンプに元の第一のセットが再設置されることによって、ＩＶの制御を元の第一のポンプ装置に戻すことができるであろう。それは第一のＩＶセットへの患者の接続を維持したまま行われる。
【発明を実施するための最良の形態】
【００１７】
発明の詳細な説明
これより図１のＭＲＩシステムの平面図を参照すると、スキャンルーム９は遮蔽された境界壁１１内に配置されており、スキャンルーム９の境界の外に位置するオペレータ又は所属職員のための管理室１３が備わっている。スキャンルーム９は、強磁場１６の発生源１５を含む画像取得設備を有し、磁場は、発生源から周辺の空間全体及び患者１７の周囲にほぼ均一なアレイ（array）として生じる。画像取得作業を実施するためのシステムの、勾配（gradient）１９、センサ２１及びＲＦコイル２３を含む様々な部材が、核「エコー」を刺激するために患者１７の周囲に配置されることによって、多数の直交軸に沿う従来式の方法で患者の身体をスキャンするように、空間的に均一な磁場１６内のそれらの位置をマップ化することができる。遮蔽された境界壁１１（及び天井と床）は、高周波干渉に対する遮蔽を提供し、鉄素材によって作られることによって、磁石１５周囲の磁場分布の外側の境界も確立するであろう。
【００１８】
管理室１３は、遮蔽された境界壁１１の外に配置されており、コンピュータ入力用キーボード２５、コンピュータディスプレイ２７、患者の生体信号（vital life sign）のモニタ２９及び輸液装置用のコントローラ３１などが備わっている。そのような代表的な設備は遮蔽された境界壁１１の外側に設置されることで、スキャンルーム９内の画像取得作業に偽の磁性、静電的及びＲＦのシグナルが入り込むのを防ぐことができる。同様に、Ｘ、Ｙ及びＺ座標に沿った従来式の勾配コイル１９−２１からのシグナルを増幅するための勾配増幅器３３、ＲＦ増幅器３５及び画像処理コンピュータ３７も、同じ理由で遮蔽する境界壁１１の外側に配置される。スキャンルーム９内の部材と、スキャンルーム９の外側に配置された電子設備２５、２７、２９、３１、３３、３５及び３７との間の壁を介した相互接続３９も、通常ＲＦ遮蔽を含むことによって、ＲＦＩシグナルがスキャンルーム９に入ることによる発生源及び入るための入口を小さくする。
【００１９】
液体注入装置４１は、一般にスキャンルーム９内にあることによって、例えば（造影剤を例とする）画像取得を促進する配合液又は、そうでなければスキャンされている患者に診断又は治療の効用をもたらす配合液のＩＶ注入を施すことができる。前記従来式の注入装置４１は、ＩＶの輸液を円滑にするために患者１７の近くに望ましく配置されるべきであるが、均一な磁場１６を乱すことを避けるため及び、患者１７近くの強磁場で作動させることによって生じる輸液装置４１の動作不良及びＲＦＩを最小限にするために、離して配置されなければならない。前記輸液装置４１の制御は、管理室１３内に配置された遠隔コントローラ３１によって行われるであろう。
【００２０】
図２に描かれている発明の実施形態においては、改良型輸液装置４３が強磁場内でごく微量のＲＦＩを伴って作動可能であることによって、制御された単位時間あたりの量で、生理食塩水（saline）若しくは造影剤又は鎮痛剤などを例とする容積式の液体４５を提供することができる。装置は鉄若しくは磁性素材を含まず、作動中におけるいかなるＲＦＩの照射に対してもほぼ遮蔽される。特に装置４３は、本開示中に後で説明されるように、低部のチャンバ４７にポンプを含む。ポンプチャンバ４７は、可撓性で弾性のチューブ４９をその中に受容しており、チューブは従来式のＩＶの輸液セットの部材として事前に梱包及び滅菌されている。前記輸液セットは、輸液セットの一部として従来式の滴下チャンバ５１も含む。チャンバ４７におけるポンプの制御は、輸液のパラメータを設定するためのオペレータの入力キーパッド４８と、供給源４５からの液体の流れを検出するために、滴下チャンバ５１の上に設置することができる滴下検出器５３とを含む。ディスプレイ５３が、導電的に被覆されたプラスチック又はアルミニウムなどを例とする非磁性のＲＦ遮蔽素材から作られているであろうハウジング５５の上部に設置される。
【００２１】
これより図３の略ブロック絵画図を参照すると、チューブ４９を伴って作動するための、ハウジング５５のポンプチャンバ４７内に配置された蠕動式の容積式ポンプ６０が示されており、そのチューブは滴下チャンバ５１及び患者の間をずっと通っている。（真っ直ぐ又は回転式の）蠕動のポンプ６０は、適切な機械的連結６５による超音波モータ６４によって駆動されることで、周知の蠕動の押出し様式でチューブ４９に対して圧搾ローラーを駆動させるか、周知のような蠕動ポンプ動作を生み出すために真っ直ぐのチューブ圧搾列を介して一連の部材６７を駆動することができる。様々な可視及び可聴の警報機６１が、許容限界又はエラー若しくは故障状態にあるいずれかの作動状態を知らせるために提供されるであろう。
【００２２】
従来式の超音波駆動モータ６４は、周知のようにモータ駆動回路６９からそれらに供給される多相シグナル（multiphasic signal）によって電力供給される。その装置用のコントローラ７１は、ラム（Random AccessMemory）７５、ロム（Read-Only Memory）７７、ＤＡコンバータ（Digital-to-Analogconverter）７９及び入出力チャネル（Input/Output channel）８１を含む周辺機器に関連するＣＰＵ（centralprocessing unit）７３を含む。このコントローラ７１は、オペレータのキーパッド４８からの入力制御情報を受信し、センサ８３からのポンプの速度及び、滴下チャンバ５１周辺に配置されている滴下検出器８５から液体の流れについてのフィードバック情報を受信する。それらに提供された入力に応じて、コントローラ７１は記憶されたプログラムに基づいて作動することによって、作動パラメータ（又は他のデータ）のディスプレイ５３を稼動させ、且つ制御された速さで回転させるために超音波モータ６４にエネルギーを加えるためのモータ駆動回路６９を稼動することができる。電力源６３は、コントローラ７１及び駆動回路６９に接続されているためにそれらに電力を供給することができ、また、バッテリ８７に接続されているために、独立して作動している間にそこから電力を受けることができるか、必要に応じてプラグ６３を介して線間電圧（linevoltage）を得ることができる。
【００２３】
本発明のこの実施形態においては、磁性素材が、超音波モータ６４、ポンプ６０、電力源６３、コントローラ７１及び関連機器を含む輸液装置４３のいかなる部品にも使われていない。更に、前記部品には、作動中に強磁場によって悪影響を受けるものはない。そして、超音波モータ６４、駆動回路６９、コントローラ７１、電力源６３又は関連部品内の電気シグナルによって生じるであろうあらゆるＲＦエネルギーが、前記部品の周囲に配置された導電性構造９１、９３によって特異的に遮蔽されることによって、ＲＦＩの放射を妨げることができる。更に、高周波妨害フィルタ９５が、シールドを通っている全ての導線の周囲に設置されることで、前記入口を通るＲＦＩの放射を防ぐことができる。
【００２４】
これより図４を参照すると、本発明の更なる実施形態においては、ある方法が、患者４５０の先に接続された第一のＩＶ輸液セット４３２への接続を維持しつつ、先に接続されたＭＲＩ非適合ポンプ装置４３０をＭＲＩ適合ポンプ装置４０６に付け替えるために採用されている。患者４５０は最初に、ＭＲＩ非適合である第一のポンプ４３０に接続されている第一のＩＶ輸液セット４３２に接続される。第一のポンプ４３０は流量を観測するセンサ４３４に応じてポンプ動作を制御する。流体コネクタは、第一のＩＶセット中の第一のポンプの上流４００及び下流４１０に設置される。流体コネクタは、第二のＩＶセット中の第二のポンプ４０６の上流４０２及び下流４０８にも設置される。
【００２５】
これより図５のフローチャートを参照すると、先に接続された第一のＩＶ輸液セット４３２への患者４５０の接続を維持しつつ、先に接続されたＭＲＩ非適合ポンプ装置４３０をＭＲＩ適合ポンプ装置４０６に付け替えるための方法が図示されている。最初に、患者４５０が第一のＩＶセット４３２及び第一のポンプ４３０に接続され５００、液体は第一のＩＶセット４３２及び第一のポンプ４３０を通って患者４５０へと輸液される５０２。患者がＭＲＩ環境に入る前に、第一のポンプ４３０は第一のＩＶセット４３２から標準的なコネクタで取り外され５０４、コネクタはその後に、第一のポンプの上流で遮断機構によってＩＶセットを通る液体の流れを妨げる。他の実施形態においては、液体源と第一のポンプとの間に接続されている流量センサ４３４が接続されていない５０６。
【００２６】
第二のＭＲＩ適合ポンプ４０６は第二のＩＶセット４０４に接続される４０６。第二のポンプ４０６は、流量を測定するためのセンサを含むことによって、ポンプ作用を制御するであろう。
【００２７】
患者４５０に取付けられている第一のＩＶセット４３２を変えることなく、ＭＲＩ非適合ポンプ４３０からＭＲＩ適合ポンプ４０６へと患者４５０を移行させるために、第二のＩＶセット４０４の上流の流体コネクタ４０２は、第一のＩＶセット４３２の上流の流体コネクタ４００に接続される５１０。チューブの空気を押出した後に、第二のＩＶセット４０４の下流の流体コネクタ４０８が第一のＩＶセット４３２の下流の流体コネクタ４１０に接続される５１２。そして、第二のＩＶセットが第二の（ＭＲＩ適合）ＩＶポンプへと設置される５０８。ある実施形態においては、センサ４３４が、液体源から送り出された液体を測定するために、ポンプ４０６に接続されるであろう５１４。最終的に、液体は取り付けられた第一のＩＶセット４３２及び第二のポンプ４０６を通って患者４５０へと輸液される。第二のポンプ４０６がＭＲＩ適合性であるため、輸液はＭＲＩ環境内においても第二のポンプによって継続されるであろう。第一のＩＶセット４３２は、患者４５０に取り付けられたままであり、従って患者は直接第二のＩＶセット４０４へと接続される必要は無い。正確には、第二のセットは第一のセットの中央（ポンプ）部分を“迂回する”。
【００２８】
更なる実施形態においては、第二のポンプ４０６は、第一のポンプ４３０が第一のＩＶセットから取り外される前に、第一のＩＶセット４３２に接続される。
【００２９】
ここから図６のフローチャートを参照すると、患者４５０がＭＲＩ環境から出た後に、第二のポンプ４０６を取り外し、第一のポンプ４３０に再接続するための方法が図示されている。第二のＩＶセット４０４の流体コネクタ４０２及び４０８は、第一のＩＶセット４３２の流体コネクタ４００及び４１０から接続を外される６００。この事は、第二のＩＶセットを通る液体の流れを妨げる。ある実施形態においては、第一のＩＶセット４３２を通る流れは、第一のＩＶセットに設置された遮断機構によって止められる。他の実施形態においては、使用者が手で扱うスライド式又は回転式クランプなどによって流体を手動で遮断するであろう。第二のＩＶセットは第二のポンプから取り外され６０２、捨てられる。第一のポンプ４３０は第一のＩＶセット４３２に再び取り付けられるか、再接続され６０４、且つ流量センサ４３４に再接続される６０６ことによって、第一のＩＶセット４３２を通る輸液速度を制御することができるであろう。最終的に、液体は、第一のＩＶセット４３２、第一のポンプ４３０、及び第一のＩＶセットの患者に元々取り付けられたものによって患者４５０へと再び輸液される６０８。
【００３０】
従って、本発明の輸液装置は、強磁場内における稼動のために磁性素材無しで構成されているため、ＭＲＩ環境内において患者にＩＶの輸液を投与することができる。輸液装置は画像取得の間、患者の近くに配置されているが、ＭＲＩスキャナ周囲の均一な磁界を顕著に乱すこと及び、患者周囲の近辺で有害なＲＦＩを放出することも無い。画像取得中には、前記患者から非常に低レベルのＲＦ「エコー」が検出される。前記ＭＲＩ適合輸液装置は、第一の輸液セットの患者への取付を変えることなくＭＲＩ非適合輸液装置から簡便に付け替えることができ、一方でＩＶの溶液の流路の滅菌性が破綻するリスクを最小限にもするであろう。
【図面の簡単な説明】
【００３１】
【図１】運用機器の一般的な配置を示すＭＲＩシステム環境の平面図である。
【図２】本発明の実施形態のひとつに基づく輸液装置の部分的な斜視図である。
【図３】図２の輸液装置の略ブロック図である。
【図４】本ポンプ交換発明の実施形態のひとつに基づく二つのポンプ装置の部分的な斜視図である。
【図５】本発明に基づき、患者の第一のＩＶセットを取り外すことなく第一のＩＶポンプを第二のポンプに一時的に付け替える方法を図示するフローチャートである。
【図６】本発明に基づき、第二のＩＶポンプを第一のポンプに付け替える方法を図示するフローチャートである。
【図１】
2008522643.tif 000003
【図２】
2008522643.tif 000004
【図３】
2008522643.tif 000005
【図４】
2008522643.tif 000006
【図５】
2008522643.tif 000007
【図６】
2008522643.tif 000008
【国際調査報告】
2008522643.tif 000009